(57)【要約】【課題】ユーザーが多層フィルムの周辺で容易に作業することができる層転写装置を提供する。【解決手段】  層転写装置１は、本体筐体２と、カバー３と、ロック部材２１と、加熱ローラー６Ｂと、シャッター２６と、第１温度センサ２２Ａと、第２温度センサ２３と、制御装置２４とを備える。第１温度センサ２２Ａは、カバー３の一部の温度を測定する。第２温度センサ２４は、シャッター２６の温度を測定する。制御装置２４は、第１判定温度Ｔ１および第２判定温度Ｔ２の全てが第１閾値Ｎ１未満である場合に、カバー３のロックを解除する。なお、第１判定温度Ｔ１は、第１温度センサ２２Ａ、２２Ｂによって測定された温度に基づいて決定される。第２判定温度Ｔ２は、第２温度センサ２３によって測定された温度に基づいて決定される。【選択図】図８
2020121788.tif 000002
【特許請求の範囲】
【請求項１】
開口を有する本体筐体と、
前記開口を閉じる閉位置と前記開口が開く開位置との間を移動可能なカバーと、
前記カバーを前記閉位置にロックするロック位置と、前記カバーが前記閉位置から前記開位置へ移動することを許容するロック解除位置との間を移動可能なロック部材と、
支持層と、シートに転写される転写層を有する被支持層とを有する多層フィルムであって、前記本体筐体内において、前記シートと重なった状態で第１方向に搬送される多層フィルムを、前記カバーが前記閉位置に位置した状態で加熱する加熱ローラーであって、前記本体筐体内に位置する加熱ローラーと、
前記加熱ローラーによって加熱された前記シートまたは前記多層フィルムによって加熱される第１部材の温度を測定するための少なくとも１つの第１温度センサと、
前記加熱ローラーによって加熱される第２部材の温度を測定するための少なくとも１つの第２温度センサと、
前記第１温度センサによって測定された第１温度に基づいて決定される第１判定温度、および、前記第２温度センサによって測定された第２温度に基づいて決定される第２判定温度の少なくとも１つが第１閾値以上である場合に、前記ロック部材を前記ロック位置に位置させ、前記第１判定温度および前記第２判定温度の全てが前記第１閾値未満である場合に、前記ロック部材を前記ロック解除位置に位置させる制御装置と、を備えることを特徴とする、層転写装置。
【請求項２】
前記カバーが前記開位置に位置した状態で、前記開口を通って前記本体筐体内に装着可能なフィルムユニットであって、前記多層フィルムを保持するフィルムユニットを、さらに備えることを特徴とする、請求項１に記載の層転写装置。
【請求項３】
前記カバーに設けられる加圧ローラーであって、前記フィルムユニットが前記本体筐体内に装着され、前記カバーが前記閉位置に位置した状態で、前記加熱ローラーとの間で前記多層フィルムを挟む加圧ローラーを、さらに備えることを特徴とする、請求項２に記載の層転写装置。
【請求項４】
前記第１部材は、前記カバーの一部であることを特徴とする、請求項１から請求項３のいずれか一項に記載の層転写装置。
【請求項５】
前記カバーが前記閉位置に位置する状態で、前記加熱ローラーと前記多層フィルムとの間に位置するシャッター第１位置と、前記加熱ローラーと前記多層フィルムとの間から退避するシャッター第２位置との間を移動可能なシャッターを、さらに備え、
前記第２部材は、前記シャッターであることを特徴とする、請求項１から請求項４のいずれか一項に記載の層転写装置。
【請求項６】
前記第１温度センサは、複数設けられ、
前記加熱ローラーは、第１ヒーターと、前記シートの幅方向であって、前記第１方向と交差する幅方向において、前記第１ヒーターと異なる位置に位置する第２ヒーターと、を有し、
複数の前記第１温度センサは、
前記幅方向において、前記第１ヒーターが位置する第１領域内に位置する前記第１部材としての前記カバーの一部の温度を測定する第１領域センサと、
前記幅方向において、前記第２ヒーターが位置する第２領域内に位置する前記第１部材としての前記カバーの一部の温度を測定する第２領域センサと
を含むことを特徴とする、請求項１から請求項５のいずれか一項に記載の層転写装置。
【請求項７】
前記制御装置は、前記第１温度を所定の係数によって加重することにより、前記第１判定温度を決定することを特徴とする、請求項１から請求項６のいずれか一項に記載の層転写装置。
【請求項８】
前記制御装置は、前記第１判定温度および前記第２判定温度の少なくとも１つが前記第１閾値以上である場合、前記第１判定温度および前記第２判定温度のうちの最も高い温度と、前記第１判定温度および前記第２判定温度のうちの最も低い温度との差が第２閾値以上である場合、最も低い温度を示す温度センサが故障していると判断することを特徴とする、請求項１から請求項７のいずれか一項に記載の層転写装置。
【請求項９】
前記制御装置は、前記加熱ローラーをＯＦＦした後、所定の時間、前記カバーを前記閉位置にロックすることを特徴とする、請求項１から請求項８のいずれか一項に記載の層転写装置。
【発明の詳細な説明】
【技術分野】
【０００１】
本開示は、層転写装置に関する。
【背景技術】
【０００２】
従来、層転写装置は、転写層を有する多層フィルムとシートとを加熱および加圧することにより、転写層をシートに転写する。多層フィルムは、支持層と、転写層を有する被支持層とを有する（下記特許文献１参照）。
【先行技術文献】
【特許文献】
【０００３】
【特許文献１】特開２０１２−２１５８３６号公報
【発明の概要】
【発明が解決しようとする課題】
【０００４】
特許文献１に記載されるような層転写装置において、多層フィルムを交換したいという要望や、詰まったシートを除去したいという要望がある。
【０００５】
しかし、多層フィルムの周辺には、多層フィルムを加熱する加熱部材など、高温の部材が存在するため、多層フィルムの周辺で作業することが困難である。
【０００６】
そこで、本開示の目的は、ユーザーが多層フィルムの周辺で容易に作業することができる層転写装置を提供することにある。
【課題を解決するための手段】
【０００７】
（１）本開示の層転写装置は、本体筐体と、カバーと、ロック部材と、加熱ローラーと、第１温度センサと、第２温度センサと、制御装置とを備える。
【０００８】
本体筐体は、開口を有する。カバーは、閉位置と開位置との間を移動可能である。カバーが閉位置に位置する場合、カバーは、開口を閉じる。カバーが開位置に位置する場合、開口が開く。
【０００９】
ロック部材は、ロック位置とロック解除位置との間を移動可能である。ロック部材がロック位置に位置する場合、ロック部材は、カバーを閉位置にロックする。ロック部材がロック解除位置に位置する場合、ロック部材は、カバーが閉位置から開位置へ移動することを許容する。
【００１０】
加熱ローラーは、多層フィルムを、カバーが閉位置に位置した状態で加熱する。多層フィルムは、支持層と、被支持層とを有する。被支持層は、転写層を有する。転写層は、シートに転写される。多層フィルムは、本体筐体内において、シートと重なった状態で第１方向に搬送される。加熱ローラーは、本体筐体内に位置する。
【００１１】
第１温度センサは、第１部材の温度を測定する。第１部材は、加熱ローラーによって加熱されたシートまたは多層フィルムによって加熱される。
【００１２】
第２温度センサは、第２部材の温度を測定する。第２部材は、加熱ローラーによって加熱される。
【００１３】
制御装置は、第１判定温度および第２判定温度の少なくとも１つが第１閾値以上である場合に、ロック部材を前記ロック位置に位置させる。第１判定温度は、第１温度センサによって測定された第１温度に基づいて決定される。第２判定温度は、第２温度センサによって測定された第２温度に基づいて決定される。
【００１４】
また、制御装置は、第１判定温度および第２判定温度の全てが第１閾値未満である場合に、ロック部材をロック解除位置に位置させる。
【００１５】
このような構成によれば、制御装置は、第１温度センサによって測定された第１温度に基づいて、第１判定温度を決定し、第２温度センサによって測定された第２温度に基づいて、第２判定温度を決定する。
【００１６】
そして、制御装置は、第１判定温度および第２判定温度の少なくとも１つが第１閾値以上である場合に、ロック部材をロック位置に位置させる。
【００１７】
つまり、第１部材か、または、第２部材が加熱され過ぎている場合、カバーは、ロック位置にロックされる。
【００１８】
そして、制御装置は、第１判定温度および第２判定温度の全てが第１閾値未満である場合に、ロック部材をロック解除位置に位置させる。
【００１９】
これにより、第１部材、および、第２部材が冷却された後に、カバーのロックが解除される。
【００２０】
その結果、ユーザーは、多層フィルムの周辺で作業する場合に、第１部材や第２部材が冷却された状態であるので、容易に作業することができる。
【００２１】
（２）層転写装置は、フィルムユニットを、さらに備えてもよい。フィルムユニットは、カバーが開位置に位置した状態で、開口を通って本体筐体内に装着可能である。フィルムユニットは、多層フィルムを保持する。
【００２２】
（３）層転写装置は、加圧ローラーを、さらに備えてもよい。加圧ローラーは、カバーに設けられる。加圧ローラーは、フィルムユニットが本体筐体内に装着され、カバーが閉位置に位置した状態で、加熱ローラーとの間で多層フィルムを挟む。
【００２３】
（４）第１部材は、カバーの一部であってもよい。
【００２４】
（５）層転写装置は、シャッターを、さらに備えてもよい。シャッターは、カバーが閉位置に位置する状態で、加熱ローラーと多層フィルムとの間に位置するシャッター第１位置と、加熱ローラーと多層フィルムとの間から退避するシャッター第２位置との間を移動可能である。第２部材は、シャッターであってもよい。
【００２５】
（６）第１温度センサは、複数設けられてもよい。加熱ローラーは、第１ヒーターと、第２ヒーターとを有してもよい。第２ヒーターは、シートの幅方向において、第１ヒーターと異なる位置に位置する。幅方向は、第１方向と交差する。この場合、複数の第１温度センサは、第１領域センサと、第２領域センサとを含んでもよい。第１領域センサは、幅方向において、第１ヒーターが位置する第１領域内に位置する第１部材としてのカバーの一部の温度を測定する。第２領域センサは、幅方向において、第２ヒーターが位置する第２領域内に位置する第１部材としてのカバーの一部の温度を測定する。
【００２６】
このような構成によれば、幅方向における第１ヒーターおよび第２ヒーターの位置に応じて、カバーの温度を測定できる。
【００２７】
そのため、幅方向におけるシートのサイズに応じて、加熱ローラーの加熱領域を変えた場合でも、第１部分が冷却されるまで、カバーをロックできる。
【００２８】
（７）制御装置は、第１温度を所定の係数によって加重することにより、第１判定温度を決定してもよい。
【００２９】
このような構成によれば、第１温度センサで測定される第１温度がカバーの実際の温度よりも低くなる場合でも、第１判定温度を、カバーの実際の温度に近似させることができる。
【００３０】
（８）制御装置は、第１判定温度および第２判定温度の少なくとも１つが第１閾値以上である場合、第１判定温度および第２判定温度のうちの最も高い温度と、第１判定温度および第２判定温度のうちの最も低い温度との差が第２閾値以上である場合、最も低い温度を示す温度センサが故障していると判断する。
【００３１】
（９）制御装置は、加熱ローラーをＯＦＦした後、所定の時間、カバーを閉位置にロックしてもよい。
【００３２】
このような構成によれば、第１部材や第２部材をより冷却できる。
【００３３】
そのため、ユーザーは、第１部材や第２部材がより冷却された状態で、カバーを開けることができる。
【発明の効果】
【００３４】
本開示の層転写装置によれば、ユーザーが多層フィルムの周辺で容易に作業することができる。
【図面の簡単な説明】
【００３５】
【図１】図１は、層転写装置の全体構成図である。
【図２】図２は、図１のカバーが開位置に位置した状態を示す。
【図３】図３は、図２に示す本体筐体の正面図である。
【図４】図４Ａは、図１に示す多層フィルムの断面図である。図４Ｂは、図４Ａに示す支持層が被支持層から剥離する様子を示す。
【図５】図５は、図１に示す加熱ローラーが第２位置に位置した状態を示す。
【図６】図６は、図１に示す層転写装置のブロック図である。
【図７】図７は、図６に示す制御装置による制御を示すフローチャートである。
【図８】図８は、図７に示すカバーロック解除処理の詳細を説明するフローチャートである。
【図９】図９は、第１温度、第２温度、第１判定温度の変化を示すグラフである。
【図１０】図１０は、第１変形例を示すフローチャートである。
【図１１】図１１は、第２変形例を示すフローチャートである。
【発明を実施するための形態】
【００３６】
１．層転写装置の全体構成
図１から図５を参照して、層転写装置１の全体構成について説明する。
【００３７】
図１に示すように、層転写装置１は、本体筐体２と、カバー３と、シート搬送部４と、フィルムユニット５と、転写部６と、シート排出部７とを備える。
【００３８】
１．１  本体筐体
本体筐体２は、シート供給開口２Ａと、シート排出開口２Ｂとを有する。シート供給開口２Ａは、シート搬送部４に供給されるシートＳが通る開口である。シート排出開口２Ｂは、シート排出部７によって排出されるシートＳが通る開口である。
【００３９】
また、本体筐体２は、図３に示すように、本体側壁２０Ａ、２０Ｂを有する。本体筐体２は、開口２０Ｃを有する。本体側壁２０Ａは、シートＳの幅方向における本体筐体２の一方側の側壁である。本体側壁２０Ｂは、幅方向における本体筐体２の他方側の側壁である。本体側壁２０Ｂは、幅方向において本体側壁２０Ａから離れて位置する。開口２０Ｃは、幅方向において、本体側壁２０Ａと本体側壁２０Ｂとの間に位置する。
【００４０】
１．２  カバー
カバー３は、図１および図２に示すように、閉位置（図１参照）と開位置（図２参照）との間を移動可能である。詳しくは、カバー３は、閉位置と開位置との間を、幅方向に延びる軸について回動可能である。カバー３が閉位置に位置する場合、カバー３は、開口２０Ｃを閉じる。カバー３が開位置に位置する場合、開口２０Ｃが開く。
【００４１】
１．３  シート搬送部
図１に示すように、シート搬送部４には、フィルムユニット５が本体筐体２内に装着され、カバー３が閉位置に位置した状態で、シートＳが供給される。シート搬送部４は、供給されたシートＳを転写部６に向かって搬送する。詳しくは、シート搬送部４は、ピックアップローラー４Ａと、搬送ローラー４Ｂとを備える。
【００４２】
ピックアップローラー４Ａは、本体筐体２内に設けられる。ピックアップローラー４Ａは、シート搬送部４に供給されたシートＳを搬送ローラー４Ｂに向かって搬送する。
【００４３】
搬送ローラー４Ｂは、カバー３に設けられる。搬送ローラー４Ｂは、ピックアップローラー４ＡからのシートＳを加圧ローラー６Ａに向かって搬送する。
【００４４】
１．４  フィルムユニット
フィルムユニット５は、図２に示すように、カバー３が開位置に位置した状態で、開口２０Ｃを通って本体筐体２内に装着可能である。フィルムユニット５は、多層フィルム５Ａと、供給リール５Ｂと、巻取リール５Ｃとを有する。
【００４５】
１．４．１  多層フィルム
多層フィルム５Ａは、図４Ａに示すように、支持層１１と、被支持層１２とを有する。
【００４６】
支持層１１は、ポリエチレンテレフタレートやポリオレフィンなどの樹脂から作られるフィルムである。
【００４７】
被支持層１２は、支持層１１に支持される。被支持層１２は、転写層１２Ａと、剥離層１２Ｂと、接着層１２Ｃとを有する。
【００４８】
転写層１２Ａは、シートＳに転写される。転写層１２ＡがシートＳに転写されることにより、シートＳには、文字や図柄などの画像が形成される。転写層１２Ａは、例えば、金属層、着色層、保護層などを含む。金属層は、例えば、アルミニウム、錫、金、銀などの金属で作られる。転写層１２Ａに金属層が含まれる場合、転写層１２ＡがシートＳに転写されることにより、シートＳには、金属光沢を有する画像が形成される。着色層は、例えば、着色剤や顔料を含有する熱可塑性樹脂で作られる。転写層１２Ａに着色層が含まれる場合、転写層１２ＡがシートＳに転写されることにより、シートＳには、色彩を有する画像が形成される。保護層は、例えば、着色剤や顔料を含有しない透明の熱可塑性樹脂で作られる。転写層１２Ａに保護層が含まれる場合、転写層１２ＡがシートＳに転写されることにより、転写層１２Ａが転写されたシートＳの一部を、保護できる。
【００４９】
剥離層１２Ｂは、支持層１１と転写層１２Ａとの間に位置する。支持層１１と転写層１２Ａとの間に剥離層１２Ｂが存在することにより、図４Ｂに示すように、転写層１２Ａは、剥離層１２Ｂを境目として、支持層１１から剥離可能である。
【００５０】
接着層１２Ｃは、転写層１２ＡをシートＳに接着する。接着層１２Ｃは、多層フィルム５ＡとシートＳとが接触した状態で、シートＳと接触する。接着層１２Ｃは、多層フィルム５ＡとシートＳとが接触した状態で、転写層１２ＡとシートＳとの間に位置する。接着層１２Ｃは、例えば、塩化ビニルやアクリル樹脂などの熱可塑性樹脂で作られる。
【００５１】
１．４．２  供給リール
図１に示すように、供給リール５Ｂには、転写部６に供給される多層フィルム５Ａが、巻かれている。これにより、フィルムユニット５は、多層フィルム５Ａを保持する。供給リール５Ｂは、幅方向に延びる円筒形状を有する。供給リール５Ｂは、幅方向に延びる軸について回転可能である。
【００５２】
１．４．３  巻取リール
巻取リール５Ｃは、供給リール５Ｂから離れて位置する。この実施形態では、巻取リール５Ｃは、転写部６に対して供給リール５Ｂの反対側に位置する。巻取リール５Ｃは、多層フィルム５Ａの支持層１１を巻き取る。巻取リール５Ｃは、幅方向に延びる円筒形状を有する。巻取リール５Ｃは、幅方向に延びる軸について回転可能である。巻取リール５Ｃが回転することにより、多層フィルム５Ａは、供給リール５Ｂから巻取リール５Ｃへ向かって搬送される。詳しくは、フィルムユニット５が本体筐体２内に装着され、カバー３が閉位置に位置した状態で、多層フィルム５Ａは、供給リール５Ｂから巻取リール５Ｃへ向かって第１方向に搬送される。第１方向は、幅方向と交差する。
【００５３】
１．５  転写部
転写部６は、シート搬送部４によって搬送されたシートＳに、多層フィルム５Ａの転写層１２Ａを転写する。転写部６は、加圧ローラー６Ａと、加熱ローラー６Ｂとを備える。すなわち、層転写装置１は、加圧ローラー６Ａと、加熱ローラー６Ｂとを備える。
【００５４】
１．５．１  加圧ローラー
加圧ローラー６Ａは、カバー３に設けられる。フィルムユニット５が本体筐体２内に装着され、カバー３が閉位置に位置した状態で、加圧ローラー６Ａは、加熱ローラー６Ｂとの間で多層フィルム５Ａを挟む。フィルムユニット５が本体筐体２内に装着され、カバー３が閉位置に位置した状態で、加圧ローラー６Ａは、多層フィルム５Ａの被支持層１２（図４Ａ参照）の接着層１２Ｃと接触する。
【００５５】
１．５．２  加熱ローラー
加熱ローラー６Ｂは、本体筐体２内に位置する。この実施形態では、フィルムユニット５が本体筐体２内に装着された状態で、加熱ローラー６Ｂは、フィルムユニット５の供給リール５Ｂと巻取リール５Ｃとの間に位置する。加熱ローラー６Ｂは、図１および図５に示すように、カバー３が閉位置に位置した状態で、第１位置（図１参照）と、第２位置（図５参照）との間を移動可能である。加熱ローラー６Ｂは、幅方向および第１方向の両方と交差する第２方向に移動可能である。
【００５６】
図１に示すように、カバー３が閉位置に位置した状態で、加熱ローラー６Ｂが第１位置に位置する場合、加熱ローラー６Ｂは、加圧ローラー６Ａに近づく。フィルムユニット５が本体筐体２内に装着され、カバー３が閉位置に位置した状態で、加熱ローラー６Ｂが第１位置に位置する場合、加熱ローラー６Ｂは、多層フィルム５Ａの支持層１１（図４Ａ参照）に接触する。これにより、加熱ローラー６Ｂは、カバー３が閉位置に位置した状態で、多層フィルム５Ａを加熱する。フィルムユニット５が本体筐体２内に装着され、カバー３が閉位置に位置した状態で、供給リール５Ｂから巻取リール５Ｃへ向かう多層フィルム５Ａは、加圧ローラー６Ａと加熱ローラー６Ｂとの間を、第１方向に通る。
【００５７】
シート搬送部４に供給されたシートＳは、ピックアップローラー４Ａおよび搬送ローラー４Ｂによって転写部６に向かって搬送され、多層フィルム５Ａと重なった状態で、加圧ローラー６Ａと加熱ローラー６Ｂとの間を通る。つまり、多層フィルム５Ａは、本体筐体２内において、シートＳと重なった状態で第１方向に搬送される。このとき、多層フィルム５ＡおよびシートＳは、加熱ローラー６Ｂによって加熱されるとともに、加圧ローラー６Ａと加熱ローラー６Ｂとによって加圧される。これにより、多層フィルム５Ａの転写層１２Ａ（図４Ａ参照）は、接着層１２Ｃを介して、シートＳに接着される。
【００５８】
その後、転写層１２ＡがシートＳに接着された状態で、支持層１１が巻取リール５Ｃに巻き取られることにより、図４Ｂに示すように、支持層１１は、剥離層１２Ｂを境目に、転写層１２Ａから剥離される。これにより、転写層１２Ａは、支持層１１からシートＳに転写される。
【００５９】
一方、図５に示すように、カバー３が閉位置に位置した状態で、加熱ローラー６Ｂが第２位置に位置する場合、加熱ローラー６Ｂは、加圧ローラー６Ａから離れる。フィルムユニット５が本体筐体２内に装着され、カバー３が閉位置に位置した状態で、加熱ローラー６Ｂが第２位置に位置する場合、加熱ローラー６Ｂは、多層フィルム５Ａから離れる。これにより、多層フィルム５Ａを加熱および加圧する必要が無いタイミングで、加熱ローラー６Ｂを第２位置に位置させて、多層フィルム５Ａが不必要に加熱および加圧されることを防止できる。この実施形態では、加熱ローラー６Ｂは、シート搬送部４にシートＳが供給されていない状態で、第２位置に位置する。また、この実施形態では、加熱ローラー６Ｂは、後述する制御装置２４が層転写指令を受信していない状態で、第２位置に位置する。なお、加熱ローラー６Ｂは、図２に示すように、カバー３が開位置に位置する状態でも、第２位置に位置する。
【００６０】
また、加熱ローラー６Ｂは、図３に示すように、第１ヒーター６１と、第２ヒーター６２と、第３ヒーター６３とを有する。
【００６１】
第１ヒーター６１は、加熱ローラー６Ｂの第１部分Ｐ１を加熱する。第１部分Ｐ１は、幅方向において、加熱ローラー６Ｂの中央部に位置する。第１部分Ｐ１は、第１の種類のシートＳ１の幅方向における中央部と接触する。第１の種類のシートＳ１は、例えば、Ａ４サイズの普通紙、光沢紙などである。また、第１部分Ｐ１は、第２の種類のシートＳ２の幅方向における全部と接触する。第２の種類のシートＳ２は、第１の種類のシートＳ１よりも小さな幅を有する。第２の種類のシートＳ２は、例えば、はがきや封筒などである。
【００６２】
第２ヒーター６２は、加熱ローラー６Ｂの第２部分Ｐ２を加熱する。第２部分Ｐ２は、幅方向において、加熱ローラー６Ｂの一方側の端部に位置する。すなわち、第２ヒーター６２は、幅方向において、第１ヒーター６１と異なる位置に位置する。第２部分Ｐ２は、第１の種類のシートＳ１の幅方向における一方側の端部と接触する。なお、第２部分Ｐ２は、第２の種類のシートＳ２とは接触しない。
【００６３】
第３ヒーター６３は、加熱ローラー６Ｂの第３部分Ｐ３を加熱する。第３ヒーター６３は、幅方向において、第１ヒーター６１に対して第２ヒーター６２の反対側に位置する。第３部分Ｐ３は、幅方向において、加熱ローラー６Ｂの他方側の端部に位置する。第３部分Ｐ３は、第１の種類のシートＳ１の幅方向における他方側の端部と接触する。なお、第３部分Ｐ３も、第２の種類のシートＳ２とは接触しない。
【００６４】
１．６  シート排出部
シート排出部７は、図１に示すように、加圧ローラー６Ａと加熱ローラー６Ｂとの間を通過したシートＳを、層転写装置１の外に排出する。詳しくは、シート排出部７は、搬送ローラー７Ａと、シート排出ローラー７Ｂとを備える。
【００６５】
搬送ローラー７Ａは、カバー３に設けられる。搬送ローラー７Ａは、加圧ローラー６Ａと加熱ローラー６Ｂとの間を通過したシートＳを、シート排出ローラー７Ｂに向かって搬送する。
【００６６】
シート排出ローラー７Ｂは、カバー３に設けられる。シート排出ローラー７Ｂは、搬送ローラー７Ａによって搬送されたシートＳを、層転写装置１の外に排出する。
【００６７】
２．層転写装置の詳細
次に、図１から図３と、図６とを参照して、層転写装置１の詳細について説明する。
【００６８】
層転写装置１は、図６に示すように、ロック部材２１（図６参照）と、２つの第１温度センサ２２Ａ、２２Ｂ（図６参照）と、第２温度センサ２３（図６参照）と、制御装置２４（図６参照）とを、さらに備える。
【００６９】
２．１  ロック部材
ロック部材２１は、図１および図２に示すように、ロック位置（図１参照）とロック解除位置（図２参照）との間を移動可能である。ロック部材２１は、制御装置２４によって制御されるソレノイドにより、ロック解除位置とロック位置との間を移動される。
【００７０】
図１に示すように、ロック部材２１がロック位置に位置する場合、ロック部材２１は、カバー３を閉位置にロックする。
【００７１】
図２に示すように、ロック部材２１がロック解除位置に位置する場合、ロック部材２１は、カバー３が閉位置から開位置へ移動することを許容する。
【００７２】
２．２  第１温度センサ
図６に示す第１温度センサ２２Ａ、２２Ｂは、第１部材の温度を測定する。
【００７３】
第１部材は、加熱ローラー６Ｂによって加熱されたシートＳまたは多層フィルム５Ａによって加熱される。第１部材は、シートＳまたは多層フィルム５Ａと接触することによって加熱されてもよく、シートＳまたは多層フィルム５Ａからの輻射熱によって加熱されてもよい。この実施形態では、第１部材は、図３に示すように、カバー３の一部２５である。詳しくは、カバー３の一部２５は、加圧ローラー６Ａよりも第１方向の下流側に位置する。カバー３の一部２５は、加圧ローラー６Ａから搬送ローラー７Ａ（図１参照）へ向かうシートＳを案内する搬送ガイドである。そのため、カバー３の一部２５は、加圧ローラー６Ａから搬送ローラー７Ａへ向かうシートＳと接触して、加熱される。なお、第１部材は、搬送ローラー７Ａであってもよい。
【００７４】
第１温度センサ２２Ａ、２２Ｂは、カバー３の一部２５の温度を測定する。第１温度センサ２２Ａ、２２Ｂは、サーミスタである。第１温度センサ２２Ａ、２２Ｂは、カバー３の内部（図１参照）に設けられる。
【００７５】
第１温度センサ２２Ａは、カバーの一部２５のうちの第１部分２５Ａの温度を測定する。なお、第１部分２５Ａは、幅方向において、第１ヒーター６１が位置する第１領域Ａ１内に位置する。すなわち、第１温度センサ２２Ａは、第１領域センサである。
【００７６】
第１温度センサ２２Ｂは、幅方向において、第１温度センサ２２Ａから離れて位置する。第１温度センサ２２Ｂは、カバー３の一部２５のうちの第２部分２６Ｂの温度を測定する。なお、第２部分２６Ｂは、幅方向において、第２ヒーター６２が位置する第２領域Ａ２内に位置する。すなわち、第１温度センサ２２Ｂは、第２領域センサである。
【００７７】
２．３  第２温度センサ
図６に示す第２温度センサ２３は、第２部材の温度を測定する。
【００７８】
第２部材は、カバー３が開位置に位置する場合に加熱ローラー６Ｂによって加熱される。この実施形態では、第２部材は、図１および図５に示すように、シャッター２６である。すなわち、層転写装置１は、シャッター２６を備える。シャッター２６は、カバー３が閉位置に位置する状態で、シャッター第１位置（図５参照）とシャッター第２位置（図１参照）との間を移動可能である。
【００７９】
図５に示すように、シャッター２６がシャッター第１位置に位置する場合、シャッター２６は、加熱ローラー６Ｂと多層フィルム５Ａとの間に位置する。シャッター２６は、シート搬送部４にシートＳが供給されていない状態で、シャッター第１位置に位置する。また、シャッター２６は、制御装置２４が層転写指令を受信していない状態で、シャッター第１位置に位置する。なお、シャッター２６は、図２に示すように、カバー３が開位置に位置する状態でも、シャッター第１位置に位置する。
【００８０】
一方、図１に示すように、シャッター２６がシャッター第２位置に位置する場合、シャッター２６は、加熱ローラー６Ｂと多層フィルム５Ａとの間から退避する。シャッター２６は、制御装置２４が層転写指令を受信し、シートＳに多層フィルム５Ａの転写層１２Ａを転写する場合に、シャッター第１位置に位置する。
【００８１】
第２温度センサ２３は、シャッター２６の温度を測定する。第２温度センサ２３は、サーミスタである。第２温度センサ２３は、シャッター２６に取り付けられる。第２温度センサ２３は、シャッター２６に対して加圧ローラー６Ａの反対側に位置する。
【００８２】
２．４  制御装置
制御装置２４は、図６に示すように、第１温度センサ２２Ａ、２２Ｂおよび第２温度センサ２３と電気的に接続される。これにより、制御装置２４は、第１温度センサ２２Ａ、２２Ｂおよび第２温度センサ２３のそれぞれからの電気信号を受信する。
【００８３】
また、制御装置２４は、ロック部材２１およびシャッター２６の動作を制御する。
【００８４】
制御装置２４は、例えば、ＣＰＵと、ＲＡＭ、ＲＯＭなどのメモリーとを備える制御回路基板であってもよい。また、制御装置２４は、ＡＳＩＣを備える制御回路基板であってもよい。
【００８５】
３．制御装置による制御
次に、図７から図９を参照して、制御装置２４による制御について説明する。
【００８６】
制御装置２４は、図７に示すように、層転写装置１が起動すると、まず、ロック部材２１を制御して、カバー３を閉位置にロックし（Ｓ１）、次に、層転写装置１の動作確認を実行する（Ｓ２）。
【００８７】
そして、制御装置２４は、動作確認（Ｓ２）において層転写装置１に異常が見つからない場合、層転写指令に基づいて層転写を開始する（Ｓ３）。なお、層転写指令は、外部のパーソナルコンピューターから層転写装置１の制御装置２４に入力されてもよい。また、層転写指令は、層転写装置１の操作パネルから制御装置２４に入力されてもよい。
【００８８】
そして、制御装置２４は、シート供給開口２Ａとシート搬送部４との間に配置されたセンサが所定時間以上シートＳを検知しないと、層転写を終了する（Ｓ４）。
【００８９】
その後、制御装置２４は、カバー３のロックを解除するカバーロック解除処理（Ｓ５）を実行する。なお、このとき、制御装置２４は、層転写を終了し、加熱ローラー６ＢをＯＦＦした後、所定の時間、カバー３を閉位置にロックし、その後、カバーロック解除処理（Ｓ５）を実行してもよい。
【００９０】
カバーロック解除処理（Ｓ５）では、図８に示すように、制御装置２４は、温度取得処理（Ｓ５１）、判定温度決定処理（Ｓ５２）、判断処理（Ｓ５３）、および、解除処理（Ｓ５４）を実行する。
【００９１】
３．１  温度取得処理
温度取得処理（Ｓ５１）では、制御装置２４は、第１温度センサ２２Ａ、２２Ｂおよび第２温度センサ２３のそれぞれが測定した温度を取得する。第１温度センサ２２Ａ、２２Ｂによって測定された温度が、第１温度である。なお、第１温度センサが複数存在する場合、複数の第１温度センサと同じ数の、複数の第１温度が測定される。つまり、この実施形態では、第１温度センサ２２Ａによって測定された第１温度と、第１温度センサ２２Ｂによって測定された第１温度との２つの第１温度が測定される。また、第２温度センサ２３によって測定された温度が、第２温度である。
【００９２】
第１温度は、図９に示すように、層転写が終了した時点ｔ１の後、低下する傾向がある。これは、層転写が終了した時点ｔ１の後、加熱ローラー６Ｂが第２位置に移動し、シャッター２６がシャッター第１位置に位置することにより、カバー３の一部２５が冷却されるからである。
【００９３】
一方、第２温度は、層転写が終了した時点ｔ１の後、一旦上昇してから低下する傾向がある。これは、層転写が終了した時点ｔ１の後、シャッター第１位置に位置するシャッター２６が、第２位置に位置する加熱ローラー６Ｂによって、一旦加熱された後、冷却されるからである。
【００９４】
３．２  判定温度決定処理
次に、図８に示す判定温度決定処理（Ｓ５２）では、温度取得処理（Ｓ５１）で取得した第１温度および第２温度に基づいて、第１判定温度Ｔ１および第２判定温度Ｔ２を決定する。
【００９５】
第１判定温度Ｔ１は、第１温度に基づいて決定される。この実施形態では、制御装置２４は、第１温度を所定の係数によって加重することにより、第１判定温度Ｔ１を決定する。具体的には、制御装置２４は、第１温度ｘに第１の係数ａを積算し、さらに、第２の係数ｂを加算することにより、第１判定温度Ｔ１を決定する。つまり、第１判定温度Ｔ１＝第１の係数ａ×第１温度ｘ＋第２の係数ｂである。第１の係数ａおよび第２の係数ｂは、データテーブルとして、制御装置２４のメモリーに予め記憶されている。なお、第１温度センサが複数存在する場合、複数の第１温度センサと同じ数の、複数の第１判定温度が決定される。つまり、この実施形態では、第１温度センサ２２Ａによって測定された第１温度に基づく第１判定温度と、第１温度センサ２２Ｂによって測定された第１温度に基づく第１判定温度との２つの第１判定温度が決定される。
【００９６】
ここで、上記したように、第１温度センサ２２Ａ、２２Ｂは、カバー３の内部に設けられる。そのため、第１温度は、カバー３の案内面３Ａ（図１参照）の実際の温度よりも低くなる。しかし、第１温度に所定の係数を加重して第１判定温度Ｔ１を決定することにより、第１判定温度Ｔ１を、カバー３の案内面３Ａの実際の温度に近似させることができる。なお、案内面３Ａは、カバー３がシートＳを案内する場合に、シートＳと接触する面である。
【００９７】
第２判定温度Ｔ２は、第２温度に基づいて決定される。この実施形態では、制御装置２４は、第２温度を、第２判定温度Ｔ２として決定する。
【００９８】
３．３  判断処理
判断処理（Ｓ５３）では、制御装置２４は、第１判定温度Ｔ１および第２判定温度Ｔ２のそれぞれが第１閾値Ｎ１未満であるか、判断する。
【００９９】
制御装置２４は、第１判定温度Ｔ１および第２判定温度Ｔ２の少なくとも１つが第１閾値Ｎ１以上であると判断した場合（Ｓ５３：ＮＯ）、解除処理（Ｓ５４）を実行しないで、再度、第１温度センサ２２Ａ、２２Ｂおよび第２温度センサ２３のそれぞれが測定した温度を取得する（Ｓ５１）。つまり、制御装置２４は、第１判定温度Ｔ１および第２判定温度Ｔ２の少なくとも１つが第１閾値Ｎ１以上である場合、カバー３のロックを解除しない。その結果、制御装置２４は、第１判定温度Ｔ１および第２判定温度Ｔ２の少なくとも１つが第１閾値Ｎ１以上である場合に、ロック部材２１をロック位置に位置させる。
【０１００】
３．４  解除処理
一方、制御装置２４は、第１判定温度Ｔ１および第２判定温度Ｔ２が第１閾値Ｎ１未満であると判断した場合（Ｓ５３：ＹＥＳ）、解除処理を実行する（Ｓ５４）。
【０１０１】
解除処理（Ｓ５４）では、制御装置２４は、第１判定温度Ｔ１および第２判定温度Ｔ２の全てが第１閾値Ｎ１未満である場合に、ロック部材２１をロック解除位置に位置させる。つまり、この実施形態では、第１温度センサ２２Ａによって測定された第１温度に基づく第１判定温度、第１温度センサ２２Ｂによって測定された第１温度に基づく第１判定温度、および第２判定温度のすべてが第１閾値Ｎ１未満である場合に、ロック部材２１をロック解除位置に位置させる。これにより、カバー３のロックが解除される。
【０１０２】
４．作用効果
（１）層転写装置１は、図１および図３に示すように、第１温度センサ２２Ａ、２２Ｂと、第２温度センサ２３とを備える。第１温度センサ２２Ａは、カバー３の一部２５の温度を測定する。第２温度センサ２３は、シャッター２６の温度を測定する。カバー３の一部２５は、加熱ローラー６Ｂによって加熱されたシートＳを案内する際に、シートＳと接触することにより、加熱される。シャッター２６は、図５に示すように、第２位置に位置する加熱ローラー６Ｂによって加熱される。
【０１０３】
制御装置２４は、図８に示すように、第１温度センサ２２Ａ、２２Ｂによって測定された第１温度に基づいて、第１判定温度Ｔ１を決定し、第２温度センサ２３によって測定された第２温度に基づいて、第２判定温度Ｔ２を決定する（Ｓ５１、Ｓ５２）。
【０１０４】
そして、制御装置２４は、第１判定温度Ｔ１および第２判定温度Ｔ２の少なくとも１つが第１閾値Ｎ１（図９参照）以上である場合に、ロック部材２１（図１参照）をロック位置に位置させる（Ｓ５３：ＮＯ）。第１閾値Ｎ１は、例えば、８５℃である。
【０１０５】
つまり、カバー３の一部２５か、または、シャッター２６が加熱され過ぎている場合、カバー３は、ロック位置にロックされる。
【０１０６】
そして、制御装置２４は、第１判定温度Ｔ１および第２判定温度Ｔ２の全てが第１閾値Ｎ１未満である場合に、ロック部材２１をロック解除位置に位置させる（Ｓ５３：ＹＥＳ、Ｓ５４）。
【０１０７】
これにより、カバー３の一部２５、および、シャッター２６が冷却された後に、カバー３のロックが解除される。
【０１０８】
その結果、ユーザーは、カバー３の一部２５やシャッター２６などの多層フィルムの周りの部材が冷却された状態であるので、多層フィルム５Ａの交換や、詰まったシートＳの除去などの作業を、容易に行うことができる。
【０１０９】
（２）また、層転写装置１は、図３に示すように、加熱ローラー６Ｂは、第１ヒーター６１と、第２ヒーター６２とを有する。第１ヒーター６１は、幅方向において、加熱ローラー６Ｂの中央部を加熱する。第２ヒーター６２は、幅方向において、加熱ローラー６Ｂの一方側の端部を加熱する。
【０１１０】
そして、層転写装置１は、複数の第１温度センサ２２Ａ、２２Ｂを備える。第１温度センサ２２Ａは、幅方向において、第１ヒーター６１が位置する第１領域Ａ１内に位置する。また、第１温度センサ２２Ｂは、幅方向において、第２ヒーター６２が位置する第２領域Ａ２内に位置する。
【０１１１】
これにより、幅方向における第１ヒーター６１および第２ヒーター６２の位置に応じて、カバー３の温度を測定できる。
【０１１２】
そのため、幅方向におけるシートＳのサイズに応じて、加熱ローラー６Ｂの加熱領域を変えた場合でも、カバー３の一部２５が冷却されるまで、カバー３をロックできる。
【０１１３】
（３）また、第１温度センサ２２Ａ、２２Ｂで測定される第１温度は、カバー３の案内面３Ａ（図１参照）の実際の温度よりも低くなる。
【０１１４】
しかし、層転写装置１では、図８および図９に示すように、制御装置２４は、第１温度を所定の係数によって加重することにより、第１判定温度Ｔ１を決定する（Ｓ５２）。
【０１１５】
そのため、第１判定温度Ｔ１を、カバー３の案内面３Ａの実際の温度に近似させることができる。
【０１１６】
（４）また、制御装置２４は、層転写を終了し（図７参照）、加熱ローラー６ＢをＯＦＦした後、所定の時間、カバー３を閉位置にロックし、その後、カバーロック解除処理（Ｓ５、図７参照）を実行してもよい。
【０１１７】
加熱ローラー６ＢをＯＦＦした後、所定の時間、カバー３を閉位置にロックすることにより、カバー３やシャッター２６をより冷却できる。
【０１１８】
そのため、ユーザーは、カバー３の一部２５やシャッター２６がより冷却された状態で、カバー３を開けることができる。
【０１１９】
５．変形例
次に、図１０、図１１を参照して、第１変形例および第２変形例について説明する。なお、第１変形例および第２変形例において、上記した実施形態と同様の部材には同様の符号を付し、説明を省略する。また、上記した実施形態、第１変形例および第２変形例は、互いに組み合わせることができる。
【０１２０】
５．１  第１変形例
図１０に示すように、制御装置２４は、第１判定温度Ｔ１および第２判定温度Ｔ２の少なくとも１つが第１閾値Ｎ１以上である場合（Ｓ５３：ＮＯ）、第１判定温度Ｔ１および第２判定温度Ｔ２のうちの最も高い温度と、第１判定温度Ｔ１および第２判定温度Ｔ２のうちの最も低い温度との差ΔＴが第２閾値Ｎ２以上である場合（Ｓ５５：ＹＥＳ）、最も低い温度を示す温度センサが故障していると判断し、エラーを報知する（Ｓ５６）。第２閾値Ｎ２は、例えば、２０℃である。
【０１２１】
具体的には、第１温度センサ２２Ａ、２２Ｂが正常に機能していて、第１判定温度Ｔ１が第１閾値Ｎ１以上の９０℃であり、第２温度センサ２３が故障していて、第２判定温度が常に２５℃である場合、制御装置２４は、第１判定温度Ｔ１が第１閾値Ｎ１以上であり（Ｓ５３：ＮＯ）、第１判定温度Ｔ１および第２判定温度Ｔ２のうちの最も高い温度と、第１判定温度Ｔ１および第２判定温度Ｔ２のうちの最も低い温度との差ΔＴが第２閾値Ｎ２以上である（Ｓ５５：ＹＥＳ）と判断して、ロックを解除しないで、エラーを報知する（Ｓ５６）。
【０１２２】
なお、エラーを報知する方法は、特に限定されない。例えば、層転写装置１と接続されるパーソナルコンピューターの画面にエラーメッセージを表示してもよいし、音声でエラーを報知してもよい。
【０１２３】
第１変形例によれば、第１温度センサ２２Ａ、２２Ｂおよび第２温度センサ２３の故障を発見することができる。
【０１２４】
また、第１変形例でも、上記した実施形態と同様の作用効果を得ることができる。
【０１２５】
５．２  第２変形例
図１１に示すように、カバーロック解除処理（Ｓ６）は、層転写装置１の動作確認Ｓ２の後にも、実行される。
【０１２６】
この場合、制御装置２４は、層転写装置１の動作確認Ｓ２の後、カバーロック解除処理Ｓ６を実行し、その後、層転写指令があれば（Ｓ７：ＹＥＳ）、カバー３をロックして（Ｓ８）、層転写を開始する（Ｓ３）。
【符号の説明】
【０１２７】
１        層転写装置
２        本体筐体
３        カバー
５        フィルムユニット
５Ａ      多層フィルム
６Ａ      加圧ローラー
６Ｂ      加熱ローラー
１１      支持層
１２      被支持層
１２Ａ    転写層
２０Ｃ    開口
２１      ロック部材
２２Ａ    第１温度センサ
２２Ｂ    第１温度センサ
２３      第２温度センサ
２４      制御装置
２５      カバーの一部
２６      シャッター
６１      第１ヒーター
６２      第２ヒーター
Ａ１      第１領域
Ａ２      第２領域
Ｎ１      第１閾値
Ｎ２      第２閾値
Ｓ        シート
Ｔ１      第１判定温度
Ｔ２      第２判定温度
ΔＴ      差
【図１】
2020121788.tif 000003
【図２】
2020121788.tif 000004
【図３】
2020121788.tif 000005
【図４】
2020121788.tif 000006
【図５】
2020121788.tif 000007
【図６】
2020121788.tif 000008
【図７】
2020121788.tif 000009
【図８】
2020121788.tif 000010
【図９】
2020121788.tif 000011
【図１０】
2020121788.tif 000012
【図１１】
2020121788.tif 000013